(57)【要約】      （修正有）【課題】デジタルスチルカメラが撮影した画像を所定書式の帳票にまとめることができる画像印刷システムを提供する。【解決手段】デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムにおいて、前記印刷装置は、１つ以上の画像を配置した所定書式の帳票を作成するための帳票ファイルを少なくとも１つ記憶した第１の帳票ファイル記憶手段と、記憶内容を読み出すリムーバブル型記憶媒体読出手段を備え、帳票ファイル記憶手段に記憶されている帳票ファイルを指定した状態で、記憶しているデジタル画像データの印刷を指示可能とした。【選択図】        図１
2007241597.tif 000002
【特許請求の範囲】
【請求項１】
デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムにおいて、
前記印刷装置は、１つ以上の画像を配置した所定書式の帳票を作成するための帳票ファイルを少なくとも１つ記憶した第１の帳票ファイル記憶手段と、
交換可能な記憶媒体を装着し、当該記憶媒体の記憶内容を読み出すリムーバブル型記憶媒体読出手段を備え、
前記記憶媒体は、１つ以上の画像を配置した所定書式の帳票を作成するための帳票ファイルを少なくとも１つ記憶した第２の帳票ファイル記憶手段を構成し、
前記外部機器は、前記印刷装置の第１の帳票ファイル記憶手段および第２の帳票ファイル記憶手段に記憶されている帳票ファイルを指定した状態で、記憶しているデジタル画像データの印刷を指示可能としたことを特徴とする画像印刷システム。
【請求項２】
デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムにおいて、
前記印刷装置は、１つ以上の画像を配置した所定書式の帳票を作成するための帳票ファイルを少なくとも１つ記憶した第１の帳票ファイル記憶手段を備える一方、
前記外部機器は、交換可能な記憶媒体を装着し、当該記憶媒体の記憶内容を読み出すリムーバブル型記憶媒体読出手段を備えるとともに、前記記憶媒体は、１つ以上の画像を配置した所定書式の帳票を作成するための帳票ファイルを少なくとも１つ記憶した第２の帳票ファイル記憶手段を構成し、
前記外部機器は、前記印刷装置の第１の帳票ファイル記憶手段および第２の帳票ファイル記憶手段に記憶されている帳票ファイルを指定した状態で、記憶しているデジタル画像データの印刷を指示可能としたことを特徴とする画像印刷システム。
【請求項３】
前記記憶媒体は、前記外部装置において前記デジタル画像データを記憶する記憶手段を兼用していることを特徴とする請求項２記載の画像印刷システム。
【請求項４】
デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムの印刷装置において、
１つ以上の画像を配置した所定書式の帳票を作成するための帳票ファイルを少なくとも１つ記憶した第１の帳票ファイル記憶手段と、
交換可能な記憶媒体を装着し、当該記憶媒体の記憶内容を読み出すリムーバブル型記憶媒体読出手段を備え、
前記記憶媒体は、１つ以上の画像を配置した所定書式の帳票を作成するための帳票ファイルを少なくとも１つ記憶した第２の帳票ファイル記憶手段を構成することを特徴とする印刷装置。
【請求項５】
デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムの外部機器において、
交換可能な記憶媒体を装着し、当該記憶媒体の記憶内容を読み出すリムーバブル型記憶媒体読出手段を備えるとともに、前記記憶媒体は、１つ以上の画像を配置した所定書式の帳票を作成するための帳票ファイルを少なくとも１つ記憶した帳票ファイル記憶手段を構成し、
前記外部機器は、前記印刷装置から通知された帳票ファイルまたは第２の帳票ファイル記憶手段に記憶されている帳票ファイルを指定した状態で、記憶しているデジタル画像データの印刷を前記印刷装置へ指示可能としたことを特徴とする外部機器。
【発明の詳細な説明】
【技術分野】
【０００１】
本発明は、デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムおよび印刷装置および外部機器に関する。
【背景技術】
【０００２】
従来、撮影したデジタル画像を記憶媒体に記憶するとともに、外部装置へ接続し、その外部装置との間でデータをやりとりする機能を備えたデジタルスチルカメラでは、撮影したデジタル画像の画像を紙媒体へ印刷出力する際、一旦、パーソナルコンピュータ装置等の外部データ装置へ記憶媒体に記憶したデジタル画像を送り、この外部データ装置の編集印刷機能（アプリケーション）を利用して、印刷装置から印刷するようにしていた。
【０００３】
あるいは、デジタルスチルカメラの記憶媒体を取り外し、この記憶媒体に記憶しているデジタル画像をＤＰＥ店のサービス、あるいは、店頭のデジタルスチルカメラ用プリンタ装置で印刷していた。
【０００４】
このようにして、デジタルスチルカメラで撮影して得たデジタル画像を印刷する際、外部記憶装置等を必要とするため、手軽に行えないという事情があった。
【０００５】
そこで、デジタルスチルカメラに接続し、デジタルスチルカメラとの間でデータをやりとりする機能を備え、デジタルスチルカメラから受信した画像データを印刷することができるようにした印刷装置が実用されている。
【０００６】
このような印刷装置の機能は、いわゆるダイレクトプリント機能と称される。
【０００７】
さて、このようにして、ダイレクトプリント機能を備えた印刷装置を利用することで、デジタルスチルカメラで撮影して得たデジタル画像の画像を手軽に印刷することができるようになった。
【０００８】
しかしながら、ダイレクトプリント機能を利用する際のユーザ操作は、デジタルスチルカメラに設けられた表示部と、操作部を使って行うものであるため、外部データ装置を利用して印刷する際に比べて、例えば、レイアウト等の印刷の自由度が低く、比較的単純な印刷物しか得ることができなかった。
【０００９】
そこで、特許文献１のように、デジタルスチルカメラに画像合成ユニットを装着し記憶装置内の背景画像とマスクパターンを用いて撮影画像とを合成しプリンタに出力するというものや、特許文献２のように、プリンタはデジタルスチルカメラとパーソナルコンピュータ装置とを別々のインタフェースで接続し、カメラから転送された画像とPCから転送された背景画像とを合成し出力するというものや、特許文献３のように、パーソナルコンピュータ装置からデジタルスチルカメラにスタンプ画像を転送し、カメラにて撮影画像とスタンプ画像の合成処理を行うというものが提案されている。
【特許文献１】特開平１１−８８３１号公報
【特許文献２】特開２０００−７１５７５号公報
【特許文献３】特開２００２−１６８３３号公報
【発明の開示】
【発明が解決しようとする課題】
【００１０】
しかしながら、特許文献１のものには、画像合成ユニットが必要となり、コストがかさむという問題がある。
【００１１】
また、特許文献２のものには、パーソナルコンピュータ装置等の外部データ装置が必要となるという問題がある。
【００１２】
また、特許文献３のものには、保持している画像と撮影したデジタル画像とをデジタルスチルカメラ側で合成処理するため、デジタルスチルカメラの処理負担が大きく、これを実現するためには、デジタルスチルカメラに高速処理可能なプロセッサと大容量のメモリを必要とするため、デジタルスチルカメラのコストがかさむという問題がある。
【００１３】
本発明は、かかる実情に鑑みてなされたものであり、デジタルスチルカメラが撮影した画像を所定書式の帳票にまとめることができる画像印刷システムおよび印刷装置および外部機器を提供すること目的とする。
【課題を解決するための手段】
【００１４】
本発明は、デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムにおいて、前記印刷装置は、１つ以上の画像を配置した所定書式の帳票を作成するための帳票ファイルを少なくとも１つ記憶した第１の帳票ファイル記憶手段と、交換可能な記憶媒体を装着し、当該記憶媒体の記憶内容を読み出すリムーバブル型記憶媒体読出手段を備え、前記記憶媒体は、１つ以上の画像を配置した所定書式の帳票を作成するための帳票ファイルを少なくとも１つ記憶した第２の帳票ファイル記憶手段を構成し、前記外部機器は、前記印刷装置の第１の帳票ファイル記憶手段および第２の帳票ファイル記憶手段に記憶されている帳票ファイルを指定した状態で、記憶しているデジタル画像データの印刷を指示可能としたものである。
【００１５】
また、デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムにおいて、前記印刷装置は、１つ以上の画像を配置した所定書式の帳票を作成するための帳票ファイルを少なくとも１つ記憶した第１の帳票ファイル記憶手段を備える一方、前記外部機器は、交換可能な記憶媒体を装着し、当該記憶媒体の記憶内容を読み出すリムーバブル型記憶媒体読出手段を備えるとともに、前記記憶媒体は、１つ以上の画像を配置した所定書式の帳票を作成するための帳票ファイルを少なくとも１つ記憶した第２の帳票ファイル記憶手段を構成し、前記外部機器は、前記印刷装置の第１の帳票ファイル記憶手段および第２の帳票ファイル記憶手段に記憶されている帳票ファイルを指定した状態で、記憶しているデジタル画像データの印刷を指示可能としたものである。
【００１６】
また、前記記憶媒体は、前記外部装置において前記デジタル画像データを記憶する記憶手段と兼用される。
【００１７】
また、デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムの印刷装置において、１つ以上の画像を配置した所定書式の帳票を作成するための帳票ファイルを少なくとも１つ記憶した第１の帳票ファイル記憶手段と、交換可能な記憶媒体を装着し、当該記憶媒体の記憶内容を読み出すリムーバブル型記憶媒体読出手段を備え、前記記憶媒体は、１つ以上の画像を配置した所定書式の帳票を作成するための帳票ファイルを少なくとも１つ記憶した第２の帳票ファイル記憶手段を構成するようにしたものである。
【００１８】
また、デジタル画像データを記憶するとともに、印刷装置へ接続し、その印刷装置との間でデータをやりとりする機能を備えた外部機器と、この外部機器に接続し、この外部機器との間でデータをやりとりする機能を備え、外部機器から受信した画像データを印刷する印刷装置からなるデジタル画像印刷システムの外部機器において、交換可能な記憶媒体を装着し、当該記憶媒体の記憶内容を読み出すリムーバブル型記憶媒体読出手段を備えるとともに、前記記憶媒体は、１つ以上の画像を配置した所定書式の帳票を作成するための帳票ファイルを少なくとも１つ記憶した帳票ファイル記憶手段を構成し、前記外部機器は、前記印刷装置から通知された帳票ファイルまたは第２の帳票ファイル記憶手段に記憶されている帳票ファイルを指定した状態で、記憶しているデジタル画像データの印刷を前記印刷装置へ指示可能としたものである。
【発明の効果】
【００１９】
したがって、本発明によれば、帳票レイアウトを外部から追加できるようにすることで、より柔軟性の高い合成出力が可能であるという効果を得る。
【発明を実施するための最良の形態】
【００２０】
以下、添付図面を参照しながら、本発明の実施の形態を詳細に説明する。
【００２１】
図１は、本発明の一実施例にかかるデジタルスチルカメラ印刷システムの一例を示している。この場合、印刷装置ＰＴＲの外部機器としてデジタルスチルカメラ装置ＤＳＣを接続している。
【００２２】
同図において、デジタルスチルカメラ装置ＤＳＣは、撮影して得たデジタル画像データをメモリ媒体（記憶媒体；後述）に保存するとともに、印刷装置ＰＴＲに接続し、所定の通信手順に従って、印刷用紙の用紙サイズ、画像の配置レイアウト、選択された帳票ファイルの種別、選択された１つ以上の画像データ、および、帳票ファイル（後述）などを印刷装置ＰＴＲに転送する機能を備えている。
【００２３】
印刷装置ＰＴＲは、デジタルスチルカメラ装置ＤＳＣより、用紙サイズ、配置レイアウト、帳票ファイルの種別、帳票ファイル、および、１つ以上の画像データを受信すると、用紙サイズに従って、用紙を給紙するトレイを選択し、さらに、画像の配置レイアウトまたは選択された帳票ファイルと、受信した画像データとを合成して印刷データを作成し、その印刷データの画像を印刷出力する。
【００２４】
ここで、デジタルスチルカメラ装置ＤＳＣは、印刷装置ＰＴＲ等の外部装置と接続してデータをやりとりするための外部通信ユニットを備えている。この外部通信ユニットとしては、ＵＳＢ（Ｕｎｉｖｅｒｓａｌ  Ｓｅｒｉａｌ  Ｂｕｓ）等の汎用通信ユニットを備えている。
【００２５】
図２（ａ）は、デジタルスチルカメラ装置ＤＳＣの構成の一例を示している。
【００２６】
同図において、システム制御部１は、このデジタルスチルカメラ装置ＤＳＣの各部の動作制御、メモリ媒体ＭＣに対するデータの読出書込制御、撮影制御、外部通信ユニットを介して行う外部装置との間の通信制御、および、ユーザがこのデジタルスチルカメラ装置ＤＳＣを操作する際の種々のユーザ・インタフェース処理等の種々のデータ処理を行うためのものであり、ＲＯＭ（リード・オンリ・メモリ）２は、システム制御部１が実行する種々の制御プログラムを記憶するものであり、ＲＡＭ（ランダム・アクセス・メモリ）３は、システム制御部１のワークエリアを構成するとともに、このデジタルスチルカメラ装置ＤＳＣに固有な種々の情報を記憶するためのものであり、時計回路４は、現在時刻情報等を出力するためのものである。
【００２７】
メモリ媒体リーダライタ５は、メモリ媒体ＭＣを着脱するとともに、装着されているメモリ媒体ＭＣに対するデータの読出書込を行うためのものであり、撮影ユニット６は、カメラ撮影のためのカメラ機構、光学系および光電変換ユニットからなるものであり、表示部７は、ユーザに対して種々の情報を表示するものであり、例えば、液晶表示器からなる。また、操作部８は、ユーザがこのデジタルスチルカメラ装置ＤＳＣを操作するためのものであり、種々のキー等から構成される。
【００２８】
外部通信ユニット９は、ＵＳＢ（Ｕｎｉｖｅｒｓａｌ  Ｓｅｒｉａｌ  Ｂｕｓ）等の汎用通信ユニットからなり、印刷装置ＰＴＲや画像蓄積装置ＤＳＴ等の外部装置に接続し、これらの外部装置との間でデータのやりとりを行うためのものである。
【００２９】
これらのシステム制御部１、ＲＯＭ２、ＲＡＭ３、時計回路４、メモリ媒体リーダライタ５、撮影ユニット６、表示部７、操作部８、および、外部通信ユニット９は、内部バス１０に接続され、これらの各部のデータのやりとりは、主としてこの内部バス１０を介して行われる。
【００３０】
また、メモリ媒体ＭＣの記憶領域は、同図（ｂ）に示すように、撮影した画像データを蓄積するための画像蓄積領域と、１つ以上の帳票ファイルを保存するための帳票ファイル領域に分割されている。
【００３１】
図３は、印刷装置ＰＴＲの構成例を示している。
【００３２】
同図において、システム制御部２１は、この印刷装置ＰＴＲの各部の動作制御、給紙制御、印刷制御、外部通信ユニットを介して行う外部装置との間の通信制御、および、ユーザがこの印刷装置ＰＴＲを操作する際の種々のユーザ・インタフェース処理等の種々のデータ処理を行うためのものであり、ＲＯＭ２２は、システム制御部２１が実行する種々の制御プログラムおよび１つ以上の帳票ファイルを記憶するものであり、ＲＡＭ２３は、システム制御部２１のワークエリアを構成するとともに、この印刷装置ＰＴＲに固有な種々の情報を記憶するためのものであり、時計回路２４は、現在時刻情報等を出力するためのものであり、操作表示部２５は、ユーザがこの印刷装置ＰＴＲを操作するためのユーザ・インタフェースを構成するものである。
【００３３】
ページバッファメモリ２６は、１ページ分の印刷データを保存するフレームメモリを構成するためのものであり、プリントユニット２７は、ページバッファメモリ２６に構成されたフレームメモリから印刷データを読み出して、用紙に画像を印刷するためのものである。また、プリントユニット２７には、用紙を収容したトレイを複数備えた多段給紙ユニット２８が付設されており、これにより、複数種類の用紙から適宜なものを選択して、プリントユニット２７が使用する記録用紙として適用することができる。ここで、トレイに収容される用紙としては、Ａ４縦長、Ａ４横長、Ｂ５縦長、Ｂ５横長、Ａ３縦長などがある。
【００３４】
メモリ媒体リーダライタ２９は、メモリ媒体ＭＣを着脱するとともに、装着されているメモリ媒体ＭＣに対するデータの読出書込を行うためのものであり、外部通信ユニット３０は、ＵＳＢ（Ｕｎｉｖｅｒｓａｌ  Ｓｅｒｉａｌ  Ｂｕｓ）等の汎用通信ユニットからなり、デジタルスチルカメラ装置ＤＳＣ等の外部装置に接続し、これらの外部装置との間でデータのやりとりを行うためのものである。
【００３５】
これらのシステム制御部２１、ＲＯＭ２２、ＲＡＭ２３、時計回路２４、操作表示部２５、ページバッファメモリ２６、プリントユニット２７、多段給紙ユニット２８、メモリ媒体リーダライタ２９、および、外部通信ユニット３０は、内部バス３１に接続され、これらの各部のデータのやりとりは、主としてこの内部バス３１を介して行われる。
【００３６】
さて、デジタルスチルカメラ装置ＤＳＣがアクセスするメモリ媒体ＭＣの帳票ファイル領域、印刷装置ＰＴＲのＲＯＭ２２の帳票ファイル領域、および、印刷装置ＰＴＲがアクセスするメモリ媒体ＭＣの帳票ファイル領域には、図４（ａ）に示すように、複数の帳票ファイルが保存されている。
【００３７】
この帳票ファイルは、同図（ｂ）に示すように、それぞれを識別するための帳票ＩＤ、当該帳票に付与された名称をあらわす帳票名称、使用する用紙サイズ、帳票に描画する線分要素の描画情報である線描画情報、帳票に配置するカメラ画像の大きさと一を指定するためのカメラ画像描画情報、帳票に配置する文字画像の内容（文字列）と配置態様（文字サイズ、フォント指定等）をあらわす文字描画情報、および、帳票に配置するイメージ画像（例えば、スタンプ画像、ロゴ画像など）の内容（画像データ）と配置態様（配置座標等）をあらわすイメージ描画情報からなる。
【００３８】
ここで、線描画情報、カメラ画像描画情報、文字描画情報、および、イメージ描画情報は、１つ以上、任意の数が配置される。
【００３９】
帳票の一例を図５に示す。
【００４０】
この帳票では、３つのカメラ画像領域（カメラ画像描画情報で定義される）が設けられ、それぞれのカメラ画像領域の右側には、５本の罫線（線描画情報で定義される）が描画されている。また、おのおのの罫線の左上の位置には、「区分」、「工種」、「種別」、「細分」、「タイトル」の文字列（文字描画情報で定義される）が描画されている。また、右下には、ロゴマーク（イメージ描画情報で定義される）が描画されている。
【００４１】
図６は、デジタルスチル装置ＤＳＣと印刷装置ＰＴＲの間の通信手順の一例を示している。
【００４２】
まず、ユーザは、デジタルスチルカメラ装置ＤＳＣと印刷装置ＰＴＲとをＵＳＢケーブルで接続する。これにより、デジタルスチルカメラ装置ＤＳＣと印刷装置ＰＴＲとの間でそれぞれサービス情報がやりとりされ（サービス通知）、通信セッションが開始される。
【００４３】
次いで、デジタルスチルカメラ装置ＤＳＣは、印刷能力情報を印刷装置ＰＴＲに要求し、それにより、印刷装置ＰＴＲは、印刷能力情報をデジタルスチルカメラ装置ＤＳＣへ送信する。
【００４４】
印刷能力情報の一例を図７（ａ），（ｂ），（ｃ）に示す。
【００４５】
同図（ａ）では、印刷装置ＰＴＲにメモリ媒体ＭＣが装着されておらず、帳票ファイルの内容がＲＯＭ２２に記憶されているもののみに限定されている場合である。この場合の帳票ファイルの内容は、「Ａ４／Ｃｈｏｈｙｏ１」、「Ａ４／Ｃｈｏｈｙｏ２」、「Ａ４／Ｃｈｏｈｙｏ３」の３つである。
【００４６】
同図（ｂ）では、印刷装置ＰＴＲにメモリ媒体ＭＣが装着され、ユーザがメモリ媒体ＭＣに保存されている帳票ファイルの１つを、使用可能な帳票ファイルとして追加登録した場合を示している。この場合の帳票ファイルの内容は、「Ａ４／Ｃｈｏｈｙｏ１」、「Ａ４／Ｃｈｏｈｙｏ２」、「Ａ４／Ｃｈｏｈｙｏ３」、「Ａ４／Ｃｈｏｈｙｏ４」の４つであり、同図（ａ）の状態から「Ａ４／Ｃｈｏｈｙｏ４」（メモリ媒体ＭＣに記憶されていたもの）が追加された状態を示している。
【００４７】
同図（ｃ）では、印刷装置ＰＴＲにメモリ媒体ＭＣが装着され、ユーザがメモリ媒体ＭＣに保存されている帳票ファイルの１つを、使用可能な帳票ファイルとして追加登録するとともに、別の帳票ファイルで、ＲＯＭ２２に記憶されている帳票ファイルを置き換えた場合を示している。この場合の帳票ファイルの内容は、「Ｂ５／Ｃｈｏｈｙｏ１」、「Ａ４／Ｃｈｏｈｙｏ２」、「Ａ４／Ｃｈｏｈｙｏ３」、「Ａ４／Ｃｈｏｈｙｏ４」の４つであり、同図（ａ）の「Ａ４／Ｃｈｏｈｙｏ１」が「Ｂ５／Ｃｈｏｈｙｏ１」（メモリ媒体ＭＣに記憶されていたもの）に置き換えられており、また、「Ａ４／Ｃｈｏｈｙｏ４」（メモリ媒体ＭＣに記憶されていたもの）が追加された状態を示している。
【００４８】
また、このような帳票ファイルのユーザ操作による更新は、図４（ｃ）に示すような帳票ファイル登録テーブルに登録されていて、印刷装置ＰＴＲは、能力情報を作成する際、この帳票ファイル登録テーブルの内容を参照する。また、この帳票ファイル登録テーブルでは、帳票ファイルが保存されている場所（ＲＯＭまたはメモリカード）も登録される。
【００４９】
デジタルスチルカメラ装置ＤＳＣは、印刷装置ＰＴＲから能力情報を受信すると、ユーザに印刷条件（出力品質、用紙サイズ、日付出力の有無、使用するレイアウトの選択など）を入力させるとともに、印刷する画像を選択操作させる。ここで、デジタルスチルカメラ装置ＤＳＣのメモリ媒体ＭＣに帳票ファイルがある場合は、その帳票ファイルも選択できるようにする。
【００５０】
ユーザの操作が終了し、出力の指示がされると、デジタルスチルカメラ装置ＤＳＣは、印刷装置ＰＴＲに対して、図８に示すようなジョブ情報を送信する。また、このとき、デジタルスチルカメラ装置ＤＳＣのメモリ媒体ＭＣに記憶されている帳票ファイルが選択された場合には、その帳票ファイルのデータも送信する。
【００５１】
次に、印刷装置ＰＴＲは、ジョブを解析して、受信したジョブ情報に含まれる１つ以上の画像をデジタルスチルカメラ装置ＤＳＣに対して順次要求し、対応する画像データを受信する。
【００５２】
それとともに、印刷装置ＰＴＲは、帳票ファイルが指定されている場合には、その帳票ファイルの情報を読み出し、指定された帳票ファイルの内容に従って、帳票と受信した画像データとを合成して、印刷画像のフレームデータを形成し、記録出力する。このとき、デジタルスチルカメラ装置ＤＳＣから帳票ファイルのデータを受信している場合には、その受信した帳票ファイルを用いる。
【００５３】
図９，１０は、印刷装置ＰＴＲの処理の一例を示している。
【００５４】
まず、デジタルスチルカメラ装置ＤＳＣと接続されると（処理１０１）、デジタルスチルカメラ装置ＤＳＣよりサービス通知を受信し（処理１０２）、デジタルスチルカメラ装置ＤＳＣへサービス通知を送信する（処理１０３）。
【００５５】
受信したサービス情報を調べ、相手端末が帳票ファイルに対応した機器であるか判断し（判断１０４）、判断１０４の結果がＹＥＳになるときには、帳票ファイル登録テーブルの登録内容に従って帳票能力を編集し（処理１０６）、処理１０６で編集した帳票能力を含む所定の能力情報をデジタルスチルカメラ装置ＤＳＣへ送信する（処理１０６）。
【００５６】
次いで、デジタルスチルカメラ装置ＤＳＣよりジョブ情報を受信すると、それを解析する（処理１０７）。このとき、帳票ファイルを受信する場合がある。
【００５７】
帳票印刷が指定されているかどうかを調べ（判断１０８）、判断１０８の結果がＹＥＳになるときには、指定された帳票ファイルを読み出す（処理１０９）。また、このとき、相手端末より受信した帳票ファイルを使用する旨が指定されている場合は、その帳票ファイルを読み出す。
【００５８】
次に、ジョブ情報で印刷指示された画像データを１つずつデジタルスチルカメラ装置ＤＳＣへ取得要求して受信し（処理１１０、判断１１１のＮＯループ）、全ての画像データの受信が完了し、判断１１１の結果がＹＥＳになると、受信した画像データに基づき、帳票ファイルに従って印刷画像データを編集作成し（処理１１２）、印刷出力する（処理１１３）。
【００５９】
また、帳票印刷が指定されていない場合で、判断１０８の結果がＮＯになるときには、ジョブ情報で印刷指示された画像データを１つずつデジタルスチルカメラ装置ＤＳＣへ取得要求して受信し（処理１１４、判断１１５のＮＯループ）、全ての画像データの受信が完了し、判断１１５の結果がＹＥＳになると、受信した画像データに基づき、指定されたレイアウト従って印刷画像データを編集作成し（処理１１６）、処理１１３へ進み、印刷出力する。
【００６０】
また、相手端末が帳票対応機器ではない場合で、判断１０４の結果がＮＯになるときには、所定の能力情報をデジタルスチルカメラ装置ＤＳＣへ送信する（処理１２０）。次いで、デジタルスチルカメラ装置ＤＳＣよりジョブ情報を受信すると、それを解析する（処理１２１）。
【００６１】
次に、ジョブ情報で印刷指示された画像データを１つずつデジタルスチルカメラ装置ＤＳＣへ取得要求して受信し（処理１１０、判断１１１のＮＯループ）、全ての画像データの受信が完了し、判断１１１の結果がＹＥＳになると、受信した画像データに基づき、指定されたレイアウト従って印刷画像データを編集作成し（処理１２４）、印刷出力する（処理１２５）。
【００６２】
図１１，１２は、デジタルスチルカメラ装置ＤＳＣの処理の一例を示している。
【００６３】
まず、印刷装置ＰＴＲと接続されると（処理２０１）、印刷装置ＰＴＲへサービス通知を送信し（処理２０２）、印刷装置ＰＴＲよりサービス通知を受信する（処理２０３）。
【００６４】
受信したサービス情報を調べ、相手端末が帳票ファイルに対応した機器であるか判断し（判断２０４）、判断２０４の結果がＹＥＳになるときには、相手端末へ能力情報を要求し（処理２０５）、能力情報を受信する（処理２０６）。
【００６５】
ここで、メモリ媒体リーダライタ５に装着されているメモリ媒体ＭＣに追加の帳票ファイルがあるかどうかを調べ（判断２０７）、判断２０７の結果がＹＥＳになるときには、受信した能力情報の帳票能力に、追加の帳票ファイルを加えて、当該追加帳票ファイルをユーザが選択できる状態に設定する（処理２０８）。また、判断２０７の結果がＮＯになるときには、処理２０８を実行しない。
【００６６】
次いで、受信した能力情報に対応したユーザ操作画面を表示し（処理２０９）、ユーザに印刷条件（出力品質、用紙サイズ、日付出力の有無、使用するレイアウトの選択、使用する帳票の選択など）を入力させるとともに、印刷する画像を選択操作させる（処理２１０）。このとき、処理２０８で帳票ファイルが追加されている場合には、当該追加された帳票ファイルも選択可能にする。
【００６７】
ユーザ操作が終了するまで待ち（判断２１１のＮＯループ）、ユーザ操作が終了して判断２１１の結果がＹＥＳになると、そのときのユーザ操作に対応したジョブ情報を作成して、印刷装置ＰＴＲへ送信する（処理２１２）。また、このとき追加の帳票ファイルが選択されている場合には、その帳票ファイルのデータも送信する。
【００６８】
その後は、画像データの要求を受信すると（判断２１３の結果がＹＥＳ）、指定された画像データを読み出して印刷装置ＰＴＲへ送信し（処理２１４）、それを接続終了まで繰り返し行う（判断２１５のＮＯループ）。
【００６９】
また、相手端末が帳票対応機器ではない場合で、判断２０４の結果がＮＯになるときには、相手端末へ能力情報を要求し（処理２２０）、能力情報を受信する（処理２２１）。
【００７０】
次いで、受信した能力情報に対応したユーザ操作画面を表示し（処理２２２）、ユーザに印刷条件（出力品質、用紙サイズ、日付出力の有無、使用するレイアウトの選択など）を入力させるとともに、印刷する画像を選択操作させる（処理２２３）。
【００７１】
ユーザ操作が終了するまで待ち（判断２２４のＮＯループ）、ユーザ操作が終了して判断２２４の結果がＹＥＳになると、そのときのユーザ操作に対応したジョブ情報を作成して、印刷装置ＰＴＲへ送信する（処理２２５）。
【００７２】
その後は、画像データの要求を受信すると（判断２２６の結果がＹＥＳ）、指定された画像データを読み出して印刷装置ＰＴＲへ送信し（処理２２７）、それを接続終了まで繰り返し行う（判断２２８のＮＯループ）。
【００７３】
このようにして、本実施例では、メモリ媒体ＭＣに記憶した帳票ファイルを使用することができるので、ダイレクトプリンティングシステムにおける印刷自由度が大幅に向上し、ユーザの使い勝手を大幅に改善することができる。
【図面の簡単な説明】
【００７４】
【図１】本発明の一実施例にかかるデジタルスチルカメラ印刷システムの一例を示したブロック図。
【図２】デジタルスチルカメラ装置ＤＳＣの構成の一例、および、メモリ媒体ＭＣの記憶領域の分割態様の一例を示した図。
【図３】印刷装置ＰＴＲの構成の一例を示したブロック図。
【図４】帳票ファイルおよび帳票ファイル登録テーブルの一例を示す概略図。
【図５】帳票の一例を示した概略図。
【図６】印刷装置ＰＴＲとデジタルスチルカメラ装置ＤＳＣとの間の通信手順の一例を示したタイムチャート。
【図７】能力情報の一例を示した概略図。
【図８】ジョブ情報の一例を示した概略図。
【図９】印刷装置ＰＴＲの処理の一例を示したフローチャート（図１０へ続く）。
【図１０】印刷装置ＰＴＲの処理の一例を示したフローチャート（図９の続き）。
【図１１】デジタルスチルカメラ装置ＤＳＣの処理の一例を示したフローチャート（図１２へ続く）。
【図１２】デジタルスチルカメラ装置ＤＳＣの処理の一例を示したフローチャート（図１１の続き）。
【符号の説明】
【００７５】
ＰＴＲ  印刷装置
ＤＳＣ  デジタルスチルカメラ装置
【図１】
2007241597.tif 000003
【図２】
2007241597.tif 000004
【図３】
2007241597.tif 000005
【図４】
2007241597.tif 000006
【図５】
2007241597.tif 000007
【図６】
2007241597.tif 000008
【図７】
2007241597.tif 000009
【図８】
2007241597.tif 000010
【図９】
2007241597.tif 000011
【図１０】
2007241597.tif 000012
【図１１】
2007241597.tif 000013
【図１２】
2007241597.tif 000014